(57)【特許請求の範囲】
【請求項１】
布帛と、該布帛に含浸させた除菌液と、を有し、
前記布帛が、天然繊維と合成繊維とを含み、
前記布帛の表面に、天然繊維が１５〜４０面積％存在し、
前記布帛の裏面に、天然繊維が１０〜３５面積％存在し、
アクリル板に対する静摩擦係数が、表面裏面で０．１０以上１．０以下異なる、ウェットワイパー。
【請求項２】
前記ウェットワイパーの表面のアクリル板に対する静摩擦係数が、０．６０〜１．５であり、
前記ウェットワイパーの裏面のアクリル板に対する静摩擦係数が、０．３０〜１．２である、
請求項１に記載のウェットワイパー。
【請求項３】
前記除菌液が、第４級アンモニウム塩を含む、請求項１又は２に記載のウェットワイパー。
【請求項４】
医療用である、請求項１〜３のいずれか１項に記載のウェットワイパー。
【発明の詳細な説明】
【技術分野】
【０００１】
本発明は、ウェットワイパーに関する。
【背景技術】
【０００２】
ウェットワイパーは、被払拭表面をクリーニングすることを目的として種々の用途で用いられており、各種用途に応じて、必要とされる性能について種々の検討がなされている。
【０００３】
例えば、特許文献１には、グラム陰性菌及び／又は陽性菌に有効な拭取り材が開示されている。また、特許文献２には、防カビ効果とかび取り効果を併せ持ち、かつ安全性の高い防カビ・カビ取り組成物に、使用面の改善を組み合わせた防カビ・カビ取りシートが開示されている。さらに、特許文献３には、清浄効果、ならびに水および油性汚れに対する保護を提供すると同時に、天然皮革または人工皮革の表面のような処理済の基材に光沢を付与することができる組成物を含有するワイプが開示されている。
【先行技術文献】
【特許文献】
【０００４】
【特許文献１】特表２００５−５１３０７４号公報
【特許文献２】特開２００７−３０８４４２号公報
【特許文献３】特表２００７−５００２６３号公報
【発明の概要】
【発明が解決しようとする課題】
【０００５】
ウェットワイパーは、被払拭表面をクリーニングする際に、払拭物をその中に取り込むが、機器にこびり付いた血液汚れやベッドテーブルの食物汚れ等の被払拭面に接着しているような汚れ（払拭物）の払拭と、塵やほこり等の被払拭面に降り積もっているような汚れの払拭や被払拭面にわずかに残された拭き残り汚れを取り去るような払拭とでは、適した構成が異なる。そのため、払拭対象物や汚れによってウェットワイパーを使い分ける必要があり、作業が煩雑となる点で課題があった。
【０００６】
特に、一回の使用において上記のような様々な汚れを払拭する用途、例えば医療用途においては、一枚のウェットワイパーで使用用途わけができることが求められている。
【０００７】
本発明は、上記問題点に鑑みてなされたものであり、両面で使用用途わけができるウェットワイパーを提供することを目的とする。
【課題を解決するための手段】
【０００８】
本発明者らは、上記課題を解決するために鋭意研究を重ねた結果、所定の静摩擦係数を有するウェットワイパーであれば上記課題を解決し得ることを見出し、本発明を完成するに至った。
【０００９】
すなわち、本発明は以下のとおりである。
〔１〕
布帛と、該布帛に含浸させた除菌液と、を有し、
前記布帛が、天然繊維と合成繊維とを含み、
前記布帛の表面に、天然繊維が１５〜４０面積％存在し、
前記布帛の裏面に、天然繊維が１０〜３５面積％存在し、
アクリル板に対する静摩擦係数が、表面裏面で０．１０以上１．０以下異なる、ウェットワイパー。
〔２〕
前記ウェットワイパーの表面のアクリル板に対する静摩擦係数が、０．６０〜１．５であり、
前記ウェットワイパーの裏面のアクリル板に対する静摩擦係数が、０．３０〜１．２である、
前項〔１〕に記載のウェットワイパー。
〔３〕
前記除菌液が、第４級アンモニウム塩を含む、前項〔１〕又は〔２〕に記載のウェットワイパー。
〔４〕
医療用である、前項〔１〕〜〔３〕のいずれか１項に記載のウェットワイパー。
【発明の効果】
【００１０】
本発明によれば、両面で使用用途わけができるウェットワイパーを提供することができる。
【発明を実施するための形態】
【００１１】
以下、本発明を実施するための形態（以下、「本実施形態」という。）について詳細
に説明する。なお、本発明は、以下の実施の形態に限定されるものではなく、その要旨の
範囲内で種々変形して実施することができる。
【００１２】
〔ウェットワイパー〕
本実施形態のウェットワイパーは、布帛と、該布帛に含浸させた除菌液と、を有し、アクリル板に対する静摩擦係数が、表面裏面で０．１０以上異なる。
【００１３】
本実施形態のウェットワイパーは、静摩擦係数が、表面裏面で０．１０以上異なるという構成を有することにより、両面で使用用途わけができる。ウェットワイパー表面の静摩擦係数が高いと、機器にこびり付いた血液汚れやベッドテーブルの食物汚れ等の被払拭面に接着しているような汚れ（払拭物）の払拭に適し、静摩擦係数が低いと、塵やほこり等の被払拭面に降り積もっているような汚れの払拭や被払拭面にわずかに残された拭き残り汚れを取り去るような払拭に適する。
【００１４】
ウェットワイパーの表面裏面のアクリル板に対する静摩擦係数は、０．１０以上異なり、好ましくは０．１５〜１．０異なり、より好ましくは０．１５〜０．８０異なる。ウェットワイパーの表面裏面のアクリル板に対する静摩擦係数が０．１０以上異なることにより、使用できる被払拭面（対象物）と汚れの範囲を広げることができる。また、ウェットワイパーの表面裏面のアクリル板に対する静摩擦係数が１．０以下異なることにより、除菌液の有効成分の均一含浸性能がより向上する傾向にある。
【００１５】
なお、「表面」とは、アクリル板に対する静摩擦係数が高い面をいう。また、「裏面」とは、アクリル板に対する静摩擦係数が低い面をいう。
【００１６】
ウェットワイパーの表面のアクリル板に対する静摩擦係数は、好ましくは０．６０〜１．５であり、より好ましくは０．７０〜１．３であり、さらに好ましくは０．８０〜１．２である。静摩擦係数が０．６０以上であることにより、汚れのかき取り性能がより向上する傾向にある。また、静摩擦係数が１．５以下であることにより、ウェットワイパーで払拭する際に必要以上に引っかからないといった作業性がより向上する傾向にある。静摩擦係数は、実施例に記載の方法により測定することができる。
【００１７】
ウェットワイパーの裏面のアクリル板に対する静摩擦係数は、好ましくは０．３０〜１．２であり、より好ましくは０．４０〜１．１であり、さらに好ましくは０．６０〜１．０である。静摩擦係数が０．３０以上であることにより、塵やほこり等の被払拭面に降り積もっているような汚れの払拭や被払拭面にわずかに残された拭き残り汚れの除去性能がより向上する傾向にある。また、静摩擦係数が１．２以下であることにより、ウェットワイパーで払拭する際に必要以上に引っかからないといった作業性がより向上する傾向にある。静摩擦係数は、実施例に記載の方法により測定することができる。
【００１８】
なお、静摩擦係数は、布帛表面に存在する天然繊維割合を増加、及び／又は、布帛密度を増加させることにより増大し、布帛表面に存在する天然繊維割合を減少、及び／又は、布帛密度を減少させることにより減少する。
【００１９】
ウェットワイパーの表面裏面のアクリル板に対する静摩擦係数を異ならせるためには、特に限定されないが、例えば、布帛を構成する繊維を、目的とする静摩擦係数を得られるような順番で、順に投入しながら交絡する方法が挙げられる。
【００２０】
〔布帛〕
布帛を構成する繊維としては、特に限定されないが、例えば、天然繊維、合成繊維、半合成繊維、再生繊維、無機繊維が挙げられる。布帛を構成する繊維は、１種単独で用いても、２種以上を併用してもよい。
【００２１】
天然繊維としては、特に限定されないが、例えば、綿、亜麻、パルプ等のセルロース系繊維、キチン、キトサン、羊毛、絹などが挙げられる。
【００２２】
合成繊維としては、特に限定されないが、例えば、ビニロン、ビニリデン；ポリエチレンテレフタレート、ポリブチレンテレフタレート、ポリトリメチレンテレフタレート、共重合ポリエステル等のポリエステル；線状低密度ポリエチレン、低密度ポリエチレン、高密度ポリエチレン、ポリプロピレン等のポリオレフィン；ナイロン６、ナイロン６６、ナイロン６１０、ナイロン４６等のポリアミド；ポリアクリロニトリル等のアクリル繊維；ポリウレタン、ポリ塩化ビニル、アラミド、ベンゾエート、ポリクラール、ノボロイド、ポリフルオロエチレン等が挙げられる。
【００２３】
複合繊維の場合にはポリエチレンテレフタレートと、ポリエチレン、ポリプロピレン、ポリエチレン、及びポリアミド繊維と、の組み合わせなどが挙げられる。本実施形態においては、通気性があり、柔軟性を持たせることができるので、ポリエステル繊維が好ましい。
【００２４】
半合成繊維としては、特に限定されないが、例えば、アセテート、トリアセテート、プロミックス等が挙げられる。
【００２５】
再生繊維としては、特に限定されないが、例えば、レーヨン、キュプラ、ポリノジックレーヨン、リヨセル、テンセル等が挙げられる。
【００２６】
無機繊維としては、特に限定はされないが、例えば、ガラス繊維、炭素繊維等が挙げられる。
【００２７】
このなかでも、布帛が、天然繊維と合成繊維とを含むことが好ましい。天然繊維と合成繊維とを含むことにより、静摩擦係数が、表面裏面で０．１０以上異なるウェットワイパーが得られるように調整しやすくなる。天然繊維を含むことで静摩擦係数は高くなり、合成繊維を含むことで静摩擦係数は低くなる。これらの繊維の表面裏面における存在比率を変えることで、表面裏面で静摩擦係数を変えることができる。
【００２８】
天然繊維の含有量は、布帛１００質量％に対して、好ましくは２０〜８０質量％であり、より好ましくは３０〜７０質量％であり、さらに好ましくは４０〜６０質量％である。天然繊維の含有量が２０質量％以上であることにより、汚れのかき取り性能がより向上する傾向にある。また、天然繊維の含有量が８０質量％以下であることにより、払拭時の作業性がより向上する傾向にある。
【００２９】
合成繊維の含有量は、布帛１００質量％に対して、好ましくは２０〜８０質量％であり、より好ましくは３０〜７０質量％であり、さらに好ましくは４０〜６０質量％である。合成繊維の含有量が２０質量％以上であることにより、ウェットワイパーの強度がより向上する傾向にある。また、合成繊維の含有量が８０質量％以下であることにより、払拭時の除菌液の放出が緩やかになり払拭できる面積が増える傾向にある。
【００３０】
布帛の表面に存在する天然繊維は、好ましくは１５〜４０面積％であり、より好ましくは１５〜３５面積％であり、さらに好ましくは２０〜３０面積％である。布帛の表面に存在する天然繊維が１５面積％以上であることにより、汚れのかき取り性能がより向上する傾向にある。また、布帛の表面に存在する天然繊維が４０面積％以下であることにより、払拭時の作業性がより向上する傾向にある。
【００３１】
布帛の裏面に存在する天然繊維は、好ましくは１０〜３５面積％であり、より好ましくは１０〜３０面積％であり、さらに好ましくは１５〜２５面積％である。布帛の裏面に存在する天然繊維が１０面積％以上であることにより、汚れのかき取り性能がより向上する傾向にある。また、布帛の裏面に存在する天然繊維が３５面積％以下であることにより、払拭時の作業性がより向上する傾向にある。
【００３２】
なお、布帛の表面裏面に存在する天然繊維の割合は実施例に記載の方法により測定することができる。また、布帛の表面に存在する天然繊維の割合は、例えばスパンレース製法の場合、交絡中の水圧を高くすることにより増大し、交絡中の水圧を緩くすることにより減少する。
【００３３】
布帛の種類としては、特に限定されないが、例えば、織布、不織布、編物などが挙げられる。このなかでも、吸水性、柔軟性、及び透湿性の観点から、不織布が好ましい。
【００３４】
布帛の形態としては、布帛をシート状に裁断し、Ｚ折をして重ねて、除菌液を含浸させピロー包装したものや布帛をロール状に巻き、除菌液を含浸させたボトル仕様のものが挙げられる。このなかでも、布帛をロール状に巻いた形態のものが好ましい。
【００３５】
布帛の密度は、好ましくは０．１０〜０．３０ｇ／ｃｍ3であり、より好ましくは０．１２〜０．２５ｇ／ｃｍ3であり、さらに好ましくは０．１５〜０．２３ｇ／ｃｍ3である。布帛の密度が０．１０ｇ／ｃｍ3以上であることにより、汚れのかき取り性能がより向上する傾向にある。また、布帛の密度が０．３０ｇ／ｃｍ3以下であることにより、払拭時の作業性がより向上する傾向にある。
【００３６】
〔除菌液〕
除菌液としては、特に限定されないが、例えば、清浄、殺菌、静菌、消毒、及び除菌等の作用を有する成分（以下、単に「有効成分」ともいう。）を含む溶液が挙げられる。
【００３７】
（有効成分）
有効成分としては、特に限定されないが、例えば、第四級アンモニウム塩；２，４，４’−トリクロロ−２’−ヒドロキシ−ジフェニルエーテル、又は２，２’−ジヒドロキシ−５，５’−ジブロモ−ジフェニルエーテル等のようなハロゲン化ジフェニルエーテル；フェノキシエタノール、フェノキシプロパノール、フェノキシイソプロパノール、パラクロロ−メタ−キシレノール（ＰＣＭＸ）等のようなフェノール化合物；２，２’−メチレンビス（４−クロロフェノール）、２，２’−メチレンビス（３，４，６−トリクロロフェノール）、２，２’−メチレンビス（４−クロロ−６−ブロモフェノール）、ビス（２−ヒドロキシ−３，５−ジクロロフェニル）スルフィド、又はビス（２−ヒドロキシ−５−クロロベンジル）スルフィド等のようなビスフェニル化合物；３，４，４’−トリクロロカルバニリド等のようなハロゲン化カルバニリド；ベンジルアルコール；クロルヘキシジン；グルコン酸クロルヘキシジン；塩酸クロルヘキシジンが挙げられる。有効成分は、ウェットワイパーの用途に応じて適宜選択することができ、１種単独で用いても、２種以上を併用してもよい。
【００３８】
このなかでも、除菌液は、第四級アンモニウム塩を少なくとも含むことが好ましい。第四級アンモニウム塩は、下記（１）で表されるような四級アンモニウム塩構造を分子内に有していれば、特に限定されるものではないが、例えば、塩化ベンザルコニウム等のハロゲン化ベンザルコニウム；塩化ベンゼトニウム等のハロゲン化ベンゼトニウム；塩化セチルピリジニウム等のアルキルピリジニウム塩；オクチルトリメチルアンモニウム塩、ラウリルトリメチルアンモニウム塩、ミリスチルトリメチルアンモニウム塩、及びセチルトリメチルアンモニウム塩等のアルキルトリメチルアンモニウム塩；ポリオキシエチレンアルキルメチルアンモニウム塩などが挙げられる。
【化１】
0006796370.tif 000002
（式（１）中、Ｒ1、Ｒ2、Ｒ3、及びＲ4は、各々独立して、アルキル基、（ＣＨ2ＣＨ2Ｏ）mＨ（ｍは、２〜４０の整数を示す）、アリール基、アラルキル基、アルキルアリール基を表し、Ｒ1、Ｒ2、Ｒ3、及びＲ4の２つが結合して複素環構造を形成していてもよく、Ｘは、各々独立して、１価又は２価の陰イオンを表し、ｎは、１又は２の整数を表す。）
【００３９】
このなかでも、殺菌性能の観点から、アルキルベンジルジメチルアンモニウム塩が好ましく、炭素数が８〜１８のアルキル基を有するアルキルベンジルジメチルアンモニウム塩がより好ましく、ラウリルベンジルジメチルアンモニウム塩がさらに好ましい。このような第四級アンモニウム塩は、殺菌効果が高く、また、揮発等による殺菌効果の低下が少ないため、長期間に渡り殺菌効果を持続することができる。
【００４０】
第四級アンモニウム塩としては、特に限定されないが、具体的には、下記式（２）、（３）、（４）、及び（５）で示されるが挙げられる。
［Ｒ（ＣＨ3）3Ｎ+］nＸ  ・・式（２）
［Ｒ（ＣＨ3）Ｎ+（ＣＨ2ＣＨ2Ｏ）m'Ｈ［（ＣＨ2ＣＨ2Ｏ）m''Ｈ］］nＸ・・式（３）
［Ｒ（ＣＨ3）2Ｎ+ＣＨ2Ｃ6Ｈ5］nＸ  ・・式（４）
［ＲＰｙ+］nＸ  ・・式（５）
（式（２）、（３）、（４）、及び（５）中、Ｒは、各々独立して、アルキル基を表し、Ｘは、各々独立して、１価又は２価の陰イオンを表し、ｍ’及びｍ’’は、２〜４０の整数を示し、ｎ又は２の整数を表す。また、Ｐｙはピリジンの略である。）
【００４１】
Ｒで表されるアルキル基の炭素数は、好ましくは８〜１８であり、より好ましくは１０〜１６であり、さらに好ましくは１２〜１４である。より具体的には、オクチル基、ラウリル基、ミリスチル基、及びセチル基が好ましく、ラウリル基がより好ましい。Ｒで表されるアルキル基の炭素数が８以上であることにより、除菌液の殺菌力がより向上する傾向にある。また、Ｒで表されるアルキル基の炭素数が１８以下であることにより、有効成分の溶解性がより向上し、有効成分の含有量をより向上させることが可能となるため、ウェットワイパーの殺菌力がより向上する傾向にある。
【００４２】
Ｘで表される陰イオンとしては、特に限定されないが、例えば、Ｆ-、Ｃｌ-、Ｂｒ-、Ｉ-、ＮＯ-、及びＳＯ42-などが挙げられる。これらのなかでも、電気陰性度が高いＣｌ-が好ましい。
【００４３】
有効成分の含有量は、除菌液１００質量％に対して、好ましくは０．０１０〜３０質量％であり、より好ましくは０．１０〜５．０質量％であり、さらに好ましくは０．１０〜１．０質量％である。有効成分の含有量が０．０１０質量％以上であることにより、殺菌性能がより向上する傾向にある。また、有効成分の含有量が３０質量％以下であることにより、皮膚刺激性がより抑制される傾向にある。
【００４４】
（溶媒）
除菌液は、溶媒を含む。溶媒としては、特に限定されないが、例えば、水及び／又は非水溶媒が挙げられる。非水溶媒を用いることにより、有効成分又はその他の成分の溶解性がより向上する傾向にある。
【００４５】
非水溶媒としては、特に限定されないが、例えば、プロピレングリコール、ブチレングリコール、トリエチレングリコール、ヘキシレングリコール、ポリエチレングリコール、エトキシジグリコール、及びジプロピレングリコール等のグリコール類；エタノール、ｎ−プロパノール及びイソプロパノール等のアルコール類；トリグリセリド、エチルアセテート、アセトン、トリアセチン、及びこれらを組み合わせたものが挙げられる。
【００４６】
溶媒の量は、除菌液の総量１００質量％に対して、好ましくは９９．９９〜７０質量％であり、より好ましくは９９．９〜９５質量％であり、さらに好ましくは９９．９〜９９質量％である。溶媒の量が７０質量％以上であることにより、有効成分の布帛への含浸性能がより向上する傾向にある。また、溶媒の量が９９．９９質量％以下であることにより、有効成分を効率良くウェットワイパーから放出することができ殺菌性能がより向上する傾向にある。
【００４７】
非水溶媒の量は、除菌液の総量１００質量％に対して、好ましくは１．０〜８０質量％であり、より好ましくは１．０〜３０質量％であり、さらに好ましくは１．０〜５質量％である。溶媒の量が１．０質量％以上であることにより、有効成分の布帛への含浸性能がより向上する傾向にある。また、溶媒の量が８０質量％以下であることにより、ウェットワイパーが払拭中に早く乾いてしまわない傾向にある。
【００４８】
（その他の成分）
除菌液は、界面活性剤、低級アルコール、キレート剤、防腐剤、着色料、香料、及び安定剤などを含んでもよい。
【００４９】
界面活性剤は、特に限定されるものではないが、例えば、ノニオン界面活性剤、アニオン界面活性剤、カチオン界面活性剤、及び両性界面活性剤などが挙げられる。界面活性剤は、１種単独で用いても、２種類以上を併用してもよい。
【００５０】
ノニオン界面活性剤としては、特に限定されないが、例えば、グリセリン脂肪酸エステル、モノステアリン酸グリセリン等のグリセリン脂肪酸エステル類；モノオレイン酸ポリグリセリル、ペンタオレイン酸ポリグリセリル、デカオレイン酸ポリグリセリル、モノラウリン酸ヘキサグリセリル、モノラウリン酸デカグリセリル、モノミリスチン酸デカグリセリル、モノステアリン酸デカグリセリル、モノイソステアリン酸デカグリセリル等のポリグリセリン脂肪酸エステル類；モノステアリン酸ポリオキシエチレングリセリン等のポリオキシエチレングリセリン脂肪酸エステル類；モノラウリン酸ソルビタン、モノオレイン酸ソルビタン、トリオレイン酸ソルビタン等のソルビタン脂肪酸エステル類；モノステアリン酸ポリオキシエチレンソルビタン、トリオレイン酸ポリオキシエチレンソルビタン等のポリオキシエチレンソルビタン脂肪酸エステル類；モノラウリン酸ポリオキシエチレンソルビット、テトラオレイン酸ポリオキシエチレンソルビット等のポリオキシエチレンソルビット脂肪酸エステル類；ショ糖ラウリン酸エステル等のショ糖脂肪酸エステル類；ポリオキシエチレンラノリン、ポリオキシエチレンソルビットミツロウ等のポリオキシエチレンラノリン・ラノリンアルコール・ミツロウ誘導体、ポリオキシエチレンヒマシ油、ポリオキシエチレン硬化ヒマシ油等のポリオキシエチレンヒマシ油・硬化ヒマシ油類；ポリオキシエチレンコレスタノールエーテル等のポリオキシエチレンステロール・水素添加ステロール類；モノステアリン酸エチレングリコール、モノオレイン酸ポリエチレングリコール等のポリエチレングリコール脂肪酸エステル類；ポリオキシエチレンラウリルエーテル、ポリオキシエチレンセチルエーテル、ポリオキシエチレンベヘニルエーテル等のポリオキシエチレンアルキルエーテル類；ポリオキシエチレンポリオキシプロピレンセチルエーテル、ポリオキシエチレンポリオキシプロピレンデシルテトラデシルエーテル等のポリオキシエチレンポリオキシプロピレンアルキルエーテル類；ポリオキシエチレンノニルフェニルエーテル等のポリオキシエチレンアルキルフェニルエーテル類；ポリオキシエチレンステアリン酸アミド等のポリオキシエチレンアルキルアミン・脂肪酸アミド類；ポリオキシエチレンオクチルフェニルエーテル等のポリオキシエチレンアルキルフェニルエーテル類；ステアリルジメチルアミンオキシド等のアルキルジメチルアミンオキシド類などが挙げられる。
【００５１】
アニオン界面活性剤としては、特に限定されないが、例えば、ドデシルベンゼンスルホン酸ナトリウム等のアルキルベンゼンスルホン酸塩類；ラウリン酸ナトリウム等の脂肪酸塩類；ポリオキシエチレンラウリルエーテルリン酸ナトリウム、ポリオキシエチレンセチルエーテルリン酸ナトリウム等のポリオキシエチレンアルキルエーテルリン酸等のリン酸塩類；Ｎ−ラウロイル−Ｌ−グルタミン酸ナトリウム等のＮ−アシルアミノ塩酸類；ポリオキシエチレンラウリルエーテルリン酸等のポリオキシエチレンアルキルエーテルリン酸塩類；ラウロイルメチルタウリンナトリウム、ミリストイルメチルタウリンナトリウム等のＮ−アシルタウリン塩類；テトラデセンスルホン酸ナトリウム等のスルホン酸塩類；ラウリル硫酸ナトリウム等のアルキル硫酸塩類；ポリオキシエチレンラウリルエーテル硫酸ナトリウム等のポリオキシエチレンアルキルエーテル硫酸塩類；ラウリルジアミノエチルグリシンナトリウム、塩酸アルキルジアミノエチルグリシンなどが挙げられる。
【００５２】
低級アルコールとしては、特に限定されないが、例えば、炭素数１〜４の水溶性アルコール類が挙げられる。具体的には、メタノール、エタノール、プロパノール、イソプロパノール、メトキシエタノール、エトキシエタノール、メトキシプロパノール、メトキシイソプロパノール等のモノオール類；エチレングリコール、プロピレングリコール、プロパンジオール、ブタンジオール、メチルプロパンジオール、ジエチレングリコール、ブチンジオール等のジオール類；グリセリン、ブタントリオール、エリスリトール等のポリオール類などが挙げられる。低級アルコールは、１種単独で用いても、２種類以上を併用してもよい。
【００５３】
キレート剤は、金属捕獲作用があれば特に限定されないが、例えば、コンプレキサン、アラニン、エチレンジアミンヒドロキシエチル３酢酸３ナトリウム、エデト酸、エデト酸２ナトリウム、エデト酸２ナトリウムカルシウム、エデト酸３ナトリウム、エデト酸４ナトリウム、クエン酸ナトリウム、クエン酸、グルコン酸、酒石酸、フィチン酸、ポリリン酸ナトリウム、及びメタリン酸ナトリウムなどが挙げられる。この中でも、アラニン、エデト酸２ナトリウム、エデト酸２ナトリウムカルシウム、クエン酸ナトリウム、クエン酸、グルコン酸、酒石酸、ポリリン酸ナトリウム、及びメタリン酸ナトリウムが好ましい。キレート剤は、１種単独で用いても、２種類以上を併用してもよい。
【００５４】
防腐剤は、例えば、安息香酸、安息香酸ナトリウム、ウンデレン酸、サリチル酸、ソルビン酸、ソルビン酸カリウム、デヒドロ酢酸、デヒドロ酢酸ナトリウム、パラオキシ安息香酸エステル類及びその塩等の有機酸及びその誘導体；イソプロピルメチルフェノール、グルコン酸クロルヘキシジン、クレゾール、クロロチモール、クロロフェネシン、クロロクレゾール、ジクロロキシレノール、ジクロロベンジルアルコール、チオビスクロロフェノール、チモール、トリクロロカルバニリド、トリクロロヒドロキシジフェニルエーテル、ナトリウムフェノキシド、パラクロロフェノール、ハロカルバン、フェニルエチルアルコール、フェニルフェノール、フェニルフェノールナトリウム、フェノキシエタノール、フェノール、フェキサクロロフェン、ベンジルアルコール等のフェノール類；プラトニン、ピオニン、ルミネキス、感光素ＮＫ１４３等の感光素；茶エキス、ヒノキキチオール、リンゴエキス、ポリリジン等の抗菌活性を持つ植物抽出液；グルタラール、クロラミンＴ、クロルヘキシジン、ジイセチオン酸ジプロモプロパミジン、ジンクピリチオン、トリクロサン、ピリチオンＮａ、フルフラール、クロラミンＴなどが挙げられる。防腐剤は、１種単独で用いても、２種類以上を併用してもよい。
【００５５】
ウェットワイパー中の除菌液の含有量は、布帛１００質量部に対して、好ましくは５０質量部以上であり、より好ましくは１００質量部以上であり、さらに好ましくは１６０質量部以上である。ウェットワイパー中の除菌液の含有量が５０質量部以上であることにより、殺菌効果がより向上する傾向にある。また、ウェットワイパー中の除菌液の含有量は、布帛１質量部に対して、好ましくは５００質量部以下であり、より好ましくは３５０質量部以下であり、さらに好ましくは２００質量部以下である。ウェットワイパー中の除菌液の含有量が５００質量部以下であることにより、清拭後の拭き残りが減少し、布帛を触った際のぬめり感がより抑制される傾向にある。
【００５６】
布帛に均一に除菌液が含浸されていることが好ましい。
【００５７】
〔ウェットワイパーの製造方法〕
ウェットワイパーの製造方法としては、特に限定されないが、例えば、布帛を製造する布帛製造工程と、得られた布帛に除菌液を含浸させる含浸工程とを有する方法が挙げられる。
【００５８】
〔布帛製造工程〕
布帛製造工程は、布帛を製造する工程であり、布帛の種類に応じて公知の方法を用いることができる。例えば、布帛として不織布を用いる場合の製造方式には、ウェブ形成と繊維間接着の２工程がある。
【００５９】
ウェブ形成工程は、天然繊維及び合成繊維等をシート状に並べる工程であり、繊維の配列状態によって工程の具体的態様が異なる。繊維の配列状態には、繊維が縦方向に配列されているパラレルウェブ、パラレルのウェブをクロスに重ねたクロスウェブ、繊維の方向性のないランダムウェブがある。縦方向と横方向の強度が共に強くなりリントの発生が抑えられる点で、クロスウェブまたはランダムウェブが好ましい。クロスウェブを形成するウェブ形成工程を、特にクロスレイと呼ぶ。
【００６０】
繊維間接着工程は、ウェブ形成工程において並べた繊維を接着剤で接着したり、繊維の一部に熱を加えて溶融接着したり、ニードルや高圧水流で繊維を絡ませて固定する工程である。繊維間接着方法としては、特に限定されないが、例えば、樹脂接着、熱ロールを用いる熱接着、ニードルを使用するニードルパンチ、高圧のごく細い水流で叩いて繊維を絡ませて布地を作るスパンレース、ステッチボンド、パウダー接着、溶剤接着等の製法を用いることができる。この中でも、スパンレースが、交絡中の水圧を調整することにより布帛の表面に存在する天然繊維を調整することで、不織布の表面と裏面の静摩擦係数をコントロールできる点から好ましい。
【００６１】
〔含浸工程〕
含浸工程は、布帛に除菌液を含浸させる工程である。除菌液の含浸方法としては、特に限定されないが、例えば、ボトル容器にロール状に巻き取られた布帛を、ロール面（円形状になっている面をいう。）がボトル容器の底部に接するように入れ、ロール状に巻き取られた布帛の上方ロール面側より除菌液を投入することにより含浸させる方法；布帛に除菌液を含浸させて、除菌液における溶媒を必要に応じて蒸留などにより一部留去する方法；布帛に除菌液を含浸させて、除菌液における溶媒を必要に応じて蒸留などにより一部留去し、次いで、水を含浸させる方法が挙げられる。なお、留去される溶媒は、ウェットワイパーに残存していてもよい。
【００６２】
布帛の全面に均一に含浸されることがより好ましい。「布帛に均一に含浸される」とは布帛表面に除菌液が偏らずに存在することを意味する。布帛に均一に除菌液が含浸されることにより局部的なかびの発生を防止することができる。
【００６３】
〔用途〕
本実施形態のウェットワイパーは、種々の払拭対象、被払拭物に用いることができる。
【００６４】
払拭対象としては、特に限定されないが、例えば、血液、体液、細菌、真菌（カビを含む）、ウィルス、その他生体物質が挙げられる。本実施形態のウェットワイパーは、血液等の固着物、粘着物を拭き取ることができかつ、被払拭物の再汚染を抑制することができる。
【００６５】
被払拭物としては、特に限定されないが、例えば、病院のドアノブ、手すり、ベッド、手術台、モニターのタッチパネル等の器具類；シリンジポンプ、輸液ポンプ、人工透析装置、人工呼吸器等のＭＥ機器類；食品工場のベルトコンベア、作業台、ステンレス容器、冷蔵庫、調理器具等の作業用品類；洗面台、便座、家具等の住宅用品類；介護用施設の器具類；さらには人体が挙げられる。
【００６６】
このなかでも、本実施形態のウェットワイパーは、医療用であることが好ましい。「医療用」とは、例えば、病院のドアノブ、手すり、ベッド、手術台、モニターのタッチパネル等の器具類；シリンジポンプ、輸液ポンプ、人工透析装置、人工呼吸器等のＭＥ機器類；介護用施設の器具類等に使用されるものをいう。医療用途においては、極めて高い清浄性が要求される。本実施形態のウェットワイパーは、様々な払拭対象を、１回の使用で払拭可能なものとなる。
【実施例】
【００６７】
以下、本実施形態を実施例及び比較例により具体的に説明するが、本実施形態は、これらの実施例のみに限定されるものではない。なお、本実施形態で用いられる評価方法及び測定方法は下記のとおりである。
【００６８】
＜静摩擦係数の測定方法＞
ＪＩＳ  ｋ  ７１２５に準じて静摩擦係数を測定した。測定条件は以下の通りとした。なお、サンプルのウェットワイパーは、ウェットの状態のまま測定した。
相手材料                ：アクリル板
すべり片全質量          ：２００ｇ
すべり片面積（接触面積）：４０ｃｍ2
試験速度                ：１００ｍｍ／ｍｉｎ
【００６９】
＜布帛表面の天然繊維の面積％の測定方法＞
布帛断面を走査型電子顕微鏡で撮影し、表面から１０μｍの深さまでに写る天然繊維を画像解析にて合成繊維と空隙から分離して面積％を算出した。
【００７０】
＜布帛の密度の測定方法＞
布帛の目付量（１ｍ2あたりの重量（ｇ））を測定した。次に布帛の厚み（ｍｍ）をダイヤルシックネスゲージにて測定し、下記の式にて布帛の密度を算出した。
布帛の密度（ｇ／ｃｍ3）＝（目付量／布帛の厚み）／１０００
【００７１】
＜表面の拭き取り性能の評価方法＞
白色のほうろうバットに、牛の凍結乾燥血液を水に溶かした５％水溶液０．５ｍＬを塗布し、５ｃｍ×１０ｃｍに塗り広げた。その後、２５℃にて６時間乾燥した後、１６ｇ／ｃｍ2の荷重かけてウェットワイパーで１回払拭を行うった。払拭後、ほうろうバット上に残る血液の拭き残り状況を目視にて確認し、下記評価基準により評価した。
（評価基準：拭き取り性能）
◎：バットに血液がほとんど拭き残っていない。
○：バットに血液が僅かに拭き残っている。
△：バットに血液が少し拭き残っている。
×：バットに血液がかなり拭き残っている。
【００７２】
＜裏面の拭き取り性能の評価方法＞
ステンレスバットに、塵汚れとしてＪＩＳ試験用粉体１１種（関東ローム焼成品）を２００メッシュのふるいから１ｇ／ｍ2となるようにふるい落とした。その後、ステンレスバット上を１６ｇ／ｃｍ2の荷重かけてウェットワイパーで１回払拭を行った。払拭後、ほうろうバット上に残る塵汚れの拭き残り状況を目視にて確認し、下記評価基準により評価した。
（評価基準：拭き取り性能）
◎：バットに塵汚れがほとんど拭き残っていない。
○：バットに塵汚れが僅かに拭き残っている。
△：バットに塵汚れが少し拭き残っている。
×：バットに塵汚れがかなり拭き残っている。
【００７３】
＜ワイパー払拭時の作業性の評価方法＞
テーブルマット（ガラス板）をワイパーで払拭する時の作業性についてパネラー１０人で下記評価基準により評価をした。
○：ワイパーがテーブルマットに引っかかることなく払拭できる。（良好）
×：ワイパーがテーブルマットに引っかかり払拭が困難である。
【００７４】
＜除菌液の調製＞
有効成分として５０質量％ラウリルベンジルジメチルアンモニウムクロライド水溶液１．５質量部と精製水９８．５質量部をステンレス容器に投入し、１５分間、３００ｒｐｍで撹拌を行い、０．７５質量％除菌液を調製した。
【００７５】
［実施例１］
２８ｇ／ｍ2のウッドパルプのシートの上にポリエステル原綿を２８ｇ／ｍ2となるように敷詰めたウェブに高圧水流をあてるスパンレース製法で製造した不織布（組成比  ウッドパルプ／ポリエステル＝５０／５０）の表面の天然繊維の面積％と密度を測定した。また、不織布を幅１５ｃｍのシート状に裁断し、長さ方向に１８ｃｍごとにミシン目を入れて９０枚のロール巻きとした。ロール状に巻き取られた不織布をボトル容器にロール状の面が接するように配置し、このロール巻きの質量に対して２．５倍量の除菌液を上方ロール面側から含浸させてウェットワイパーを製造した。
【００７６】
ボトル容器に蓋をして、１４日間放置後、ウェットワイパーを取り出して静摩擦係数、かき取り性能、ワイパー払拭時の作業性の評価をおこなった。
【００７７】
［実施例２〜４］
表１に示す繊維（原綿）を順次積層してウェブを形成した後、スパンレース製法で交絡して作製した不織布ロールを使用した以外は実施例１と同様にしてウェットワイパーを製造し、実施例１と同様に評価を実施した。結果を表１に示す。
【００７８】
［比較例１、２］
ウッドパルプ繊維とポリエステル繊維をあらかじめ４５：５５の重量比で混合したもの（比較例１）、レーヨン繊維（比較例２）で作製したウェブをスパンレース製法で絡合して製造した不織布ロールを用いた以外は、実施例１と同様にしてウェットワイパーを製造し、実施例１と同様に評価を実施した。結果を表１に示す。
【００７９】
［比較例３］
表１に示す繊維（原綿）をあらかじめ混合したもので作製したウェブを熱接着して製造した不織布ロールを用いた以外は、実施例１と同様にしてウェットワイパーを製造し、実施例１と同様に評価を実施した。結果を表１に示す。
【００８０】
【表１】
0006796370.tif 000003
【産業上の利用可能性】
【００８１】
本発明のウェットワイパーは、各種表面の清浄、殺菌、及び除菌を目的とする種々の用途において、産業上の利用可能性を有する。